(57)【要約】    【課題】  不整地走行でのコーナリンググリップとトラクション性能とを安定的に発揮させる。    【解決手段】  タイヤであって、回転方向Ｒと車両への装着の向きとが指定されたトレッド部２を有する。トレッド部２には、車両装着時に車両外側及び内側にそれぞれ位置する外側トレッド端Ｔ１及び内側トレッド端Ｔ２と、外側トレッド端Ｔ１から内側トレッド端Ｔ２へ延び、かつ、タイヤ軸方向に対して外側トレッド端Ｔ１から内側トレッド端Ｔ２に向かって回転方向Ｒに傾斜する複数の傾斜溝３と、複数の傾斜溝３により区分された各陸部４を、タイヤ軸方向に複数のブロック６に区分する複数の分割溝５とが設けられている。複数の傾斜溝３のそれぞれは、外側トレッド端Ｔ１から内側トレッド端Ｔ２までの全区間において、滑らかな曲線状かつ回転方向Ｒに凸となる湾曲を有する。各陸部４において、ブロック６は、分割溝５に沿った長さＡが傾斜溝３に沿った長さＢよりも大きい縦長ブロック７を複数含む。【選択図】  図１
2019130929.tif 000002
【特許請求の範囲】
【請求項１】
タイヤであって、
回転方向と車両への装着の向きとが指定されたトレッド部を有し、
前記トレッド部には、
車両装着時に車両外側及び車両内側にそれぞれ位置する外側トレッド端及び内側トレッド端と、
前記外側トレッド端から前記内側トレッド端へ延び、かつ、タイヤ軸方向に対して前記外側トレッド端から前記内側トレッド端に向かって前記回転方向に傾斜する複数の傾斜溝と、
前記複数の傾斜溝により区分された各陸部を、タイヤ軸方向に複数のブロックに区分する複数の分割溝とが設けられており、
前記複数の傾斜溝のそれぞれは、前記外側トレッド端から前記内側トレッド端までの全区間において、滑らかな曲線状かつ前記回転方向に凸となる湾曲を有し、
前記各陸部において、前記複数のブロックは、前記分割溝に沿った長さが前記傾斜溝に沿った長さよりも大きい複数の縦長ブロックを含む、
タイヤ。
【請求項２】
前記各陸部において、前記複数の縦長ブロックのうち、最も前記内側トレッド端側に位置する縦長ブロックの踏面輪郭の重心は、タイヤ赤道よりも前記内側トレッド端側に位置する、請求項１に記載のタイヤ。
【請求項３】
前記各陸部において、前記複数の縦長ブロックは４個以上である、請求項１又は２に記載のタイヤ。
【請求項４】
前記複数の分割溝は、直線状に延びている、請求項１ないし３のいずれかに記載のタイヤ。
【請求項５】
前記各陸部において、前記複数の縦長ブロックは、前記外側トレッド端側のものほど踏面の面積が小さい、請求項１ないし４のいずれかに記載のタイヤ。
【請求項６】
前記各陸部において、前記複数の縦長ブロックのうち、最も前記内側トレッド端側に位置する縦長ブロックの前記内側トレッド端側には、前記傾斜溝に沿った長さが前記分割溝に沿った長さよりも大きい横長ブロックが配置されている、請求項１ないし５のいずれかに記載のタイヤ。
【請求項７】
前記各陸部において、前記横長ブロックは、前記回転方向に凸となる向きに湾曲するセグメント状である、請求項６に記載のタイヤ。
【請求項８】
前記各陸部において、前記横長ブロックは、前記回転方向の先着側の第１横長ブロックと、その後着側に位置しかつ前記第１横長ブロックよりも踏面の面積が小さい第２横長ブロックとを含む、請求項６又は７に記載のタイヤ。
【発明の詳細な説明】
【技術分野】
【０００１】
本発明は、車両用のタイヤに関し、詳しくは、ダートトライアルやラリー等といった不整地走行に適したタイヤに関する。
【背景技術】
【０００２】
下記特許文献１には、不整地走行に適したタイヤが記載されている。このタイヤのトレッド部には、タイヤ周方向に対して傾斜しかつ少なくともタイヤ赤道から前記外側トレッド端まで延びる複数本の第１傾斜溝と、少なくともタイヤ赤道から前記外側トレッド端に向かって前記第１傾斜溝と逆方向に傾斜して延びる複数本の第２傾斜溝と、前記第１傾斜溝と前記第２傾斜溝とで区分された複数のブロックとが設けられている。
【先行技術文献】
【特許文献】
【０００３】
【特許文献１】特開２０１６−１９６２３７号公報
【発明の概要】
【発明が解決しようとする課題】
【０００４】
特許文献１のタイヤは、不整地走行において、優れたコーナリンググリップとトラクション性能を発揮することができるものの、これらの性能が様々な曲率半径のコーナを含む走行路に対して安定的に発揮されるものではなかった。
【０００５】
発明者らは種々の研究を重ねったところ、特許文献１のタイヤは、溝又はブロックのエッジによる引っ掻き作用（以下、「エッジ効果」という。）が有効に発揮されていないとの知見を得た。すなわち、エッジ効果は、前記エッジの長手方向がタイヤ進行方向（車両進行方向と同義）に対して直交したときに最も効果的に発現する。しかし、特許文献１のタイヤでは、第１傾斜溝及び第２傾斜溝が直線状に延びているため、様々な曲率半径のコーナを含む走行路に対して、優れたエッジ効果が発現する範囲が特定の曲率半径のコーナに限られてしまい、その効果が限定的であることが原因であることを突き止めた。
【０００６】
本発明は、以上のような課題に鑑み案出なされたもので、不整地走行でのコーナリンググリップとトラクション性能とを安定的に発揮させることができるタイヤを提供することを主たる目的としている。
【課題を解決するための手段】
【０００７】
本発明は、タイヤであって、回転方向と車両への装着の向きとが指定されたトレッド部を有し、前記トレッド部には、車両装着時に車両外側及び車両内側にそれぞれ位置する外側トレッド端及び内側トレッド端と、前記外側トレッド端から前記内側トレッド端へ延び、かつ、タイヤ軸方向に対して前記外側トレッド端から前記内側トレッド端に向かって前記回転方向に傾斜する複数の傾斜溝と、前記複数の傾斜溝により区分された各陸部を、タイヤ軸方向に複数のブロックに区分する複数の分割溝とが設けられており、前記複数の傾斜溝のそれぞれは、前記外側トレッド端から前記内側トレッド端までの全区間において、滑らかな曲線状かつ前記回転方向に凸となる湾曲を有し、前記各陸部において、前記複数のブロックは、前記分割溝に沿った長さが前記傾斜溝に沿った長さよりも大きい複数の縦長ブロックを含む。
【０００８】
本発明のタイヤでは、前記複数の傾斜溝のそれぞれは、前記外側トレッド端から前記内側トレッド端までの全区間において、滑らかな曲線状かつ前記回転方向に凸となる湾曲を有している。したがって、様々な曲率半径のコーナを含む走行路に対して、傾斜溝（又はそれに区分されたブロック）のエッジをタイヤ進行方向に対して直交させることができる。
【０００９】
また、本発明のタイヤでは、前記各陸部において、前記ブロックは、前記分割溝に沿った長さが前記傾斜溝に沿った長さよりも大きい複数の縦長ブロックが、前記傾斜溝に沿って並んで構成されている。したがって、前記エッジがタイヤ進行方向に対して直交したときでも、当該エッジを有するブロックの変形を抑制し、エッジを路面に対して安定的にかつ強く接地させることができ、摩擦力を高めることができる。
【００１０】
以上のように、本発明のタイヤは、様々な曲率半径のコーナを含む走行路に対して、優れたエッジ効果を発揮させ、ひいては、不整地走行において、優れたコーナリンググリップとトラクション性能を安定的に発揮させることができる。
【００１１】
本発明の他の態様では、前記各陸部において、前記複数の縦長ブロックのうち、最も前記内側トレッド端側に位置する縦長ブロックの踏面輪郭の重心は、タイヤ赤道よりも前記内側トレッド端側に位置しても良い。
【００１２】
本発明の他の態様では、前記各陸部において、前記複数の縦長ブロックは４個以上とされても良い。
【００１３】
本発明の他の態様では、前記複数の分割溝は、直線状に延びていても良い。
【００１４】
本発明の他の態様では、前記各陸部において、前記複数の縦長ブロックは、前記外側トレッド端側のものほど踏面の面積が小さく構成されても良い。
【００１５】
本発明の他の態様では、前記各陸部において、前記複数の縦長ブロックのうち、最も前記内側トレッド端側に位置する縦長ブロックの前記内側トレッド端側には、前記傾斜溝に沿った長さが前記分割溝に沿った長さよりも大きい横長ブロックが配置されていても良い。
【００１６】
本発明の他の態様では、前記各陸部において、前記横長ブロックは、前記回転方向に凸となる向きに湾曲するセグメント状であっても良い。
【００１７】
本発明の他の態様では、前記各陸部において、前記横長ブロックは、前記回転方向の先着側の第１横長ブロックと、その後着側に位置しかつ前記第１横長ブロックよりも踏面の面積が小さい第２横長ブロックとを含んでいても良い。
【発明の効果】
【００１８】
本発明は、不整地走行でのコーナリンググリップとトラクション性能とを安定的に発揮させることができる。
【図面の簡単な説明】
【００１９】
【図１】本発明の一実施形態を示すトレッド部の展開図である。
【図２】図１の一つの陸部を取り出して拡大した部分拡大図である。
【発明を実施するための形態】
【００２０】
以下、本発明の実施の一形態が図面に基づき説明される。図面は、本発明を例示及び説明する目的で使用されるもので、本発明は、図面に表された具体的な形態等に限定して解釈されるものではない。
【００２１】
図１には、本実施形態のタイヤのトレッド部２の展開図が示されている。本実施形態のタイヤは、様々なカテゴリーのタイヤとして適用できるが、好ましくは、ダートトライアルやラリー用に適した不整地走行用の空気入りタイヤとして実施される。図１には、タイヤの内部構造等は示されていないが、本実施形態のタイヤは、好ましくは、トレッド剛性の高いラジアル構造として構成され得る。
【００２２】
図１に示されるように、タイヤは、回転方向Ｒと車両への装着の向きとが指定されたトレッド部２を有する。これにより、トレッド部２には、車両装着時に車両外側及び車両内側にそれぞれ位置する外側トレッド端Ｔ１及び内側トレッド端Ｔ２が規定される。タイヤの回転方向Ｒ及び車両への装着の向きは、タイヤのサイドウォール部などに文字（例えば、図１のInside、Outside）や記号（例えば、矢印）等を用いて表示され得る。
【００２３】
トレッド部２において、外側トレッド端Ｔ１及び内側トレッド端Ｔ２は、それぞれ正規荷重負荷状態でのトレッド接地面の最もタイヤ軸方向外側の位置として定められる。
【００２４】
前記「正規荷重負荷状態」とは、タイヤが正規内圧で正規リムにリム組みされ、かつ、正規荷重を負荷して、キャンバー角０度で平面に接地させた状態をいう。
【００２５】
また、正規状態において、外側トレッド端Ｔ１と内側トレッド端Ｔ２との間のタイヤ軸方向の距離はトレッド幅ＴＷとして定められる。
【００２６】
前記「正規状態」とは、タイヤが正規内圧で正規リムにリム組みされた無負荷の状態をいい、特に断りがない場合、タイヤの各部の寸法等は、この「正規状態」で測定された値である。
【００２７】
前記「正規リム」とは、タイヤが基づいている規格を含む規格体系において、当該規格がタイヤ毎に定めるリムであり、例えばＪＡＴＭＡであれば "標準リム" 、ＴＲＡであれば"Design Rim" 、ＥＴＲＴＯであれば "Measuring Rim" である。
【００２８】
前記「正規内圧」とは、タイヤが基づいている規格を含む規格体系において、各規格がタイヤ毎に定めている空気圧であり、ＪＡＴＭＡであれば "最高空気圧" 、ＴＲＡであれば表"TIRE LOAD LIMITS AT VARIOUS COLD INFLATION PRESSURES" に記載の最大値、ＥＴＲＴＯであれば "INFLATION PRESSURE" である。タイヤが乗用車用である場合、正規内圧は、１８０kPaとされる。また、レース用のタイヤのように、適用される規格がない場合、正規リム及び正規内圧には、メーカにより推奨されるリム及び空気圧が適用される。
【００２９】
前記「正規荷重」とは、タイヤが基づいている規格を含む規格体系において、各規格がタイヤ毎に定めている荷重であり、ＪＡＴＭＡであれば "最大負荷能力" 、ＴＲＡであれば表"TIRE LOAD LIMITS AT VARIOUS COLD INFLATION PRESSURES" に記載の最大値、ＥＴＲＴＯであれば "LOAD CAPACITY" である。タイヤが乗用車用の場合、正規荷重は、前記荷重の８８％に相当する荷重である。
【００３０】
トレッド部２には、外側トレッド端Ｔ１から内側トレッド端Ｔ２へ延びる複数の傾斜溝３が設けられている。それぞれの傾斜溝３は、タイヤ軸方向に対して、外側トレッド端Ｔ１から内側トレッド端Ｔ２に向かって回転方向Ｒの方向へ傾くように傾斜している。
【００３１】
また、傾斜溝３のそれぞれは、外側トレッド端Ｔ１から内側トレッド端Ｔ２までの全区間において、滑らかな曲線状に延びており、かつ、回転方向Ｒに凸となる湾曲を有する。したがって、外側トレッド端Ｔ１から内側トレッド端Ｔ２までの全区間において、傾斜溝３は、明確な変曲点を有さずに連続して延びている。
【００３２】
図２は、図１の部分拡大図である。それぞれの傾斜溝３は、そのエッジに引いた接線Ｎのタイヤ軸方向に対する角度θ（以下、この角度を傾斜溝３の角度θと定義する。）が、外側トレッド端Ｔ１から内側トレッド端Ｔ２に向かって漸減する。したがって、本実施形態のタイヤは、タイヤに様々なスリップ角が与えられたときでも、傾斜溝３のいずれかのエッジの部分をタイヤ進行方向と大きい角度で交差（とりわけ直交）させることができる。したがって、本実施形態のタイヤは、様々な曲率半径のコーナを含む低μのダート路面等においてエッジ効果を発揮することができる。
【００３３】
特に、車両のコーナリング時では、トレッド部２の接地面は横力の作用によって外側トレッド端Ｔ１の側へとシフトし、そのシフト量は横力の大きさにほぼ比例する。一方、本実施形態のタイヤにおいて、傾斜溝３は、外側トレッド端Ｔ１から内側トレッド端Ｔ２までの全区間において滑らかな曲線状に延びているため、上述の作用が様々なコーナにおいても安定的に得られる。このような作用をより高めるために、好ましい態様では、傾斜溝３のタイヤ軸方向に対する角度θは、外側トレッド端Ｔ１において、４０〜６０度の範囲とされる。
【００３４】
一方、内側トレッド端Ｔ２側は、車両の直進走行時に高い接地圧で路面と接地する傾向がある。したがって、高速直進走行時の安定性を確保するためには、傾斜溝３の内側トレッド端Ｔ２側での角度θをより小さくすることが望ましい。このような観点より、傾斜溝３は、内側トレッド端Ｔ２において、０〜７度の範囲が望ましい。
【００３５】
図１に示されるように、傾斜溝３の幅Ｗ１（前記接線と直交する向きに測定される）については、特に限定されないが、上述の作用をより効果的に発揮させるために、好ましくは、トレッド幅ＴＷの３．５％〜７．５％とされる。
【００３６】
トレッド部２は、複数の傾斜溝３により、複数の陸部４に区分される。すなわち、各陸部４は、タイヤ周方向で隣接する傾斜溝３のペアによって画定され、外側トレッド端Ｔ１から内側トレッド端Ｔ２まで延在している。
【００３７】
各陸部４には、複数の分割溝５が設けられている。複数の分割溝５のそれぞれは、各陸部４を、タイヤ軸方向に、複数のブロック６に区分するように延びている。すなわち、各分割溝５は、タイヤ周方向で隣接する傾斜溝３同士を繋いでいる。本実施形態では、好ましい態様として、各陸部４には、４本以上、より好ましくは５本以上、さらに好ましくは６本以上の分割溝５が配置される。
【００３８】
本実施形態において、複数の分割溝５は、ダート路等において砂や土といった路面形成物による目詰まりを防ぐために、直線状に延びている。特に好ましい態様では、各分割溝５は、タイヤ周方向に隣接する他の陸部４のいずれかの分割溝５と一直線に連続するように配置されることが望ましい。これにより、分割溝５の排土性がより一層向上する。特に限定されるわけではないが、各分割溝５の幅Ｗ２は、例えば、傾斜溝３の幅Ｗ１の７０〜１００％程度の範囲で定められるのが望ましい。
【００３９】
本実施形態において、最も内側トレッド端Ｔ２に配置された分割溝５を除き、分割溝５は、タイヤの回転方向Ｒに向かって内側トレッド端Ｔ２側から外側トレッド端Ｔ１側に傾斜している。したがって、各分割溝５は、それが接続される傾斜溝３と交差するように配置される。好ましい態様では、傾斜した分割溝５は互いに平行に延びているが、このような態様に限定されるものではない。
【００４０】
図２によく表されるように、各陸部４において、ブロック６は、複数の縦長ブロック７を含み、これらが、傾斜溝３に沿って隣接して配置されている。各縦長ブロック７は、分割溝５に沿った長さＡが傾斜溝３に沿った長さＢよりも大きく構成される。なお、上記各長さＡ及びＢは、それぞれの方向での最大長さを意味する。
【００４１】
縦長ブロック７は、傾斜溝３と直交する方向に高い曲げ剛性ないしせん断剛性を示す。したがって、車両のコーナリング中、縦長ブロック７のエッジがタイヤ進行方向と大きい角度で交差した場合でも、当該縦長ブロック７の変形が抑制される。したがって、縦長ブロック７は、コーナリング中、前記エッジを路面に対して安定的かつ強く接地させて大きな摩擦力を生成することができる。
【００４２】
特に限定されるものではないが、前記作用を高めるために、各陸部４には、縦長ブロック７は４個以上設けられるのが望ましい。とりわけ、前記作用をさらに高めるために、各陸部４において、最も外側トレッド端Ｔ１側の位置するブロックを除き、タイヤ赤道Ｃよりも外側トレッド端Ｔ１側に踏面輪郭の重心Ｇが位置するブロック６は、全て縦長ブロック７で構成されているのが望ましい。これらのブロック６は、コーナリング中に、主たる接地面内に含まれるからである。
【００４３】
また、上述の作用をより一層高めるために、各縦長ブロック７において、分割溝５に沿った長さＡと、傾斜溝３に沿った長さＢとの比Ａ／Ｂは、好ましくは１．１以上、より好ましくは１．３以上とされる。一方、前記比Ａ／Ｂが大きくなりすぎると、縦長ブロック７の傾斜溝３に沿った方向の曲げ剛性が低下し、直進安定性などを損ねるおそれがある。このような観点では、前記比Ａ／Ｂは、好ましくは２．１以下、より好ましくは１．９以下とされるのが良い。
【００４４】
また、スリップ角が小さいコーナリング時では、トレッド部２の接地面は、さほど外側トレッド端Ｔ１側へはシフトせず、依然としてトレッド部２の中心付近にある。このようなコーナリング時の性能を高めるには、各陸部４において、縦長ブロック７のうち、最も内側トレッド端Ｔ２側に位置する縦長ブロック７の踏面輪郭の重心Ｇを、タイヤ赤道Ｃよりも内側トレッド端Ｔ２側に位置させるのが望ましい。すなわち、タイヤ赤道Ｃよりも内側トレッド端Ｔ２側で縦長ブロック７による高いエッジ作用を効果的に発現させることで、スリップ角の小さいコーナリング初期段階においても高いコーナリンググリップとトラクションを得ることができる。
【００４５】
好ましい態様では、最も内側トレッド端Ｔ２側に位置する縦長ブロック７の踏面輪郭の重心Ｇは、タイヤ赤道Ｃよりも５mm以上、より好ましくは１０mm以上のタイヤ軸方向の距離Ｌで内側トレッド端Ｔ２側に位置するのが望ましい。
【００４６】
好ましい態様では、各陸部４において、複数の縦長ブロック７は、外側トレッド端Ｔ１側のものほど踏面の面積が小さく形成されているのが望ましい。これにより、各陸部４において、縦長ブロック７の剛性が、外側トレッド端Ｔ１側のものほど小さくなり、グリップ性能と耐摩耗性とがバランス良く向上する。好ましい態様では、隣接する縦長ブロック間において、踏面の面積の増加率は、５〜２０％程度が望ましい。
【００４７】
図１及び図２に示されるように、各陸部４において、最も内側トレッド端Ｔ２側に位置する縦長ブロック７の内側トレッド端Ｔ２側には、少なくとも一つの横長ブロック８が配置されている。
【００４８】
横長ブロック８は、傾斜溝３に沿った長さＢが分割溝５に沿った長さＡよりも大きく形成されている。横長ブロック８は、内側トレッド端Ｔ２側に配置され、そこにおいて、ほぼタイヤ軸方向に沿ったエッジを提供する。これは、タイヤの直進安定性を高めるのに役立つ。
【００４９】
好ましい態様では、各陸部４において、横長ブロック８は、回転方向Ｒに向かって凸となる向きに湾曲するセグメント状（円弧状）のブロックとして形成される。すなわち、本実施形態の横長ブロック８は、タイヤ周方向の両側に、同一の向きに湾曲する一対の円弧状のエッジを具えている。このような横長ブロック８は、直進安定性を高めながら、多方向にエッジ効果を発現し、不整地でのトラクションを高めるのに役立つ。
【００５０】
好ましい態様では、各陸部４において、横長ブロック８は、回転方向Ｒの先着側に位置する第１横長ブロック８Ａと、その後着側に位置しかつ第１横長ブロック８Ａよりも踏面の面積が小さい第２横長ブロック８Ｂとを含んでいる。このように剛性が異なる２種類の横長ブロック８を各陸部４に含ませることにより、ダート路の中でも硬さが異なる軟質路及び硬質路のそれぞれにおいて、優れたトラクション及びブレーキング性能を発揮することができる利点がある。
【００５１】
横長ブロック８のさらに内側トレッド端Ｔ２側には、タイヤ周方向の長さがタイヤ軸方向の長さよりも大きい縦長矩形ブロック９が配置されても良い。この縦長矩形ブロック９は、タイヤ周方向に高いせん断剛性を具えており、各陸部４の中で最も内側トレッド端Ｔ２側に配置されている。したがって、縦長ブロックは、直進走行時のトラクションやブレーキング性能を高めることができる。
【００５２】
以上、本発明の一実施形態が説明されたが、本発明は、種々の改造及び変形形態が可能であり、上述の例示の実施形態は、例示として示されているに過ぎない。したがって、本発明は、本明細書において開示された特定の実施形態に限定されるわけではなく、特許請求の範囲に記載された本発明の思想に含まれる全ての改造例、均等例及び変形例を含むことが注意される。
【実施例】
【００５３】
図１の基本パターンを有するサイズ２０５／６５Ｒ１５のタイヤ（実施例）と、上記特許文献１のパターンを有する同サイズのタイヤ（比較例）について、トラクション性能、コーナリング性能及び耐偏摩耗性能がテストされた。両タイヤの内部構造、ゴム配合及びランド比は同一とされており、パターンのみの違いを調べた。テスト方法は、次の通りである。
【００５４】
＜トラクション性能、コーナリング性能＞
各テストタイヤが、下記の条件で、排気量２０００ccの四輪駆動乗用車の全輪に装着された。テストドライバーは、乾燥した様々な曲率半径のコーナを有するダートテストコース上で前記車両を走行させ、トラクション性能及びコーナリング性能がテストドライバーの官能により評価された。結果は、従来例を１００とする評点で表示されている。結果は、数値が大きい程、良好であることを示す。
リム（全輪）：１５×７．０Ｊ
内圧（全輪）：２００  kPa
【００５５】
＜耐偏摩耗性能＞
前記車両を、乾燥アスファルト路面のテストコース上で１００００km走行させた。そして、後輪の傾斜溝をこの傾斜溝に沿って均等に４箇所で測定し、溝深さの最大値と最小値との差が測定された。結果は、上記差を指数化したもので、従来例を１００とする指数で表示されている。数値が大きい程、良好であることを示す。
テストの結果が表１に示される。
【表１】
2019130929.tif 000003
【００５６】
テストの結果、実施例のタイヤは、比較例に比べて、有意に各性能が向上されていることが確認できた。
【符号の説明】
【００５７】
２  トレッド部
３  傾斜溝
４  陸部
５  分割溝
６  ブロック
７  縦長ブロック
８  横長ブロック
８Ａ  第１横長ブロック
８Ｂ  第２横長ブロック
９  縦長矩形ブロック
Ｃ  タイヤ赤道
Ｇ  踏面輪郭の重心
Ｒ  回転方向
Ｔ１  外側トレッド端
Ｔ２  内側トレッド端
【図１】
2019130929.tif 000004
【図２】
2019130929.tif 000005